【手続補正書】
【提出日】令和3年11月1日(2021.11.1)
【手続補正１】
【補正対象書類名】特許請求の範囲
【補正対象項目名】全文
【補正方法】変更
【補正の内容】
【特許請求の範囲】
【請求項１】
ビデオ処理デバイスであって、
第１の兄弟ノード及び第２の兄弟ノードを含む複数の兄弟ノードにパーティション化されるブロックを特定し、前記第１の兄弟ノードは第１のパーティション化パラメータ及び第２のパーティション化パラメータと関連付けられており、前記第２の兄弟ノードは第３のパーティション化パラメータ及び第４のパーティション化パラメータと関連付けられており、
前記複数の兄弟ノートの前記第２の兄弟ノードについての前記第３のパーティション化パラメータ、並びに、前記ブロックについての親パーティション化タイプ及び親パーティション化方向を決定し、
前記複数の兄弟ノードの前記第２の兄弟ノードについての前記第３のパーティション化パラメータ、並びに、前記ブロックについての前記親パーティション化タイプ及び前記親パーティション化方向に基づいて、前記第２の兄弟ノードの前記第４のパーティション化パラメータのインジケーションを受信するかどうかを決定し、
前記第２の兄弟ノードの前記第４のパーティション化パラメータの前記インジケーションを受信するかどうかの前記決定に基づいて、前記第４のパーティション化パラメータを取得し、前記第４のパーティション化パラメータが受信されると決定されないことを条件に、前記第４のパーティション化パラメータが前記第３のパーティション化パラメータ及び前記親パーティション化方向に基づいて取得され、
前記第３のパーティション化パラメータ及び前記第４のパーティション化パラメータに基づいて、前記ブロックを含むピクチャを再構築し、
前記ピクチャに対してマルチタイプツリー（ＭＴＴ）が使用されると決定し、前記ピクチャはトリプルツリー（ＴＴ）ブロックを含み、
前記ＴＴブロックの境界に非ブロック化フィルタリングを適用する
ように構成されたプロセッサを備えた、ビデオ処理デバイス。
【請求項２】
前記親パーティション化タイプがＴＴであり、前記第２の兄弟ノードが中央の兄弟ノードであり、前記第３のパーティション化パラメータが前記中央の兄弟ノードについてのパーティション化方向を示し、及び、前記第４のパーティション化パラメータが前記中央の兄弟ノードについてのパーティション化タイプし、前記中央の兄弟ノードについての前記パーティション化方向が前記親パーティション化方向と同じであるという条件で、前記中央の兄弟ノードについての前記パーティション化タイプはＴＴに導出される、請求項１に記載のビデオ処理デバイス。
【請求項３】
前記親パーティション化タイプがＴＴであり、前記第２の兄弟ノードが中央の兄弟ノードであり、前記第３のパーティション化パラメータが前記中央の兄弟ノードについてのパーティション化タイプを示し、及び、前記第４のパーティション化パラメータが前記中央の兄弟ノードについてのパーティション化方向を示し、前記中央の兄弟ノードについてのパーティション化タイプがバイナリツリー（ＢＴ）であるという条件で、前記中央の兄弟ノードについての前記パーティション化方向は前記親パーティション化方向と直交するように決定される、請求項１に記載のビデオ処理デバイス。
【請求項４】
前記親パーティション化タイプがＴＴであり、前記第２の兄弟ノードが中央の兄弟ノードであり、前記第３のパーティション化パラメータが前記中央の兄弟ノードについてのパーティション化タイプを示し、前記第４のパーティション化パラメータが前記中央の兄弟ノードについてのパーティション化方向を示し、前記中央の兄弟ノードについてのパーティション化タイプがＴＴであるという条件で、前記中央の兄弟ノードについての前記パーティション化方向が受信される、請求項１に記載のビデオ処理デバイス。
【請求項５】
前記親パーティション化タイプがバイナリーツリー（ＢＴ）であり、前記第１のパーティション化パラメータが前記第１の兄弟ノードのパーティション化方向を示し、前記第２のパーティション化パラメータが前記第１の兄弟ノードのパーティション化タイプを示し、前記第３のパーティション化パラメータが前記第２の兄弟ノードについてのパーティション化方向を示し、及び、前記第４のパーティション化パラメータが前記第２の兄弟ノードについてのパーティション化タイプを示し、前記第１の兄弟ノードについてのパーティション化方向と前記第２の兄弟ノードのパーティション化方向が異なるか、又は前記第１の兄弟ノードについてのパーティション化タイプがＴＴで、前記第１の兄弟ノードについての前記パーティション化方向及び前記第２の兄弟ノードについての前記パーティション化方向の双方が前記親パーティション化方向と同じであるかの条件で、前記第２の兄弟ノードについての前記パーティション化タイプが受信される、請求項１に記載のビデオ処理デバイス。
【請求項６】
前記親パーティション化タイプがバイナリーツリー（ＢＴ）であり、前記第１のパーティション化パラメータが前記第１の兄弟ノードについてのパーティション化方向を示し、前記第２のパーティション化パラメータが前記第１の兄弟ノードについてのパーティション化タイプを示し、前記第３のパーティション化パラメータが前記第２の兄弟ノードについてのパーティション化方向を示し、及び、前記第４のパーティション化パラメータが前記第２の兄弟ノードについてのパーティション化タイプを示し、前記第１の兄弟ノードについての前記パーティション化タイプがＢＴであり、前記第１の兄弟ノードについての前記パーティション化方向及び前記第２の兄弟ノードについての前記パーティション化方向が同じであるという条件で、前記第２の兄弟ノードのパーティション化タイプがＴＴになるように導出され、前記第１の兄弟ノードについての前記パーティション化タイプがＴＴであり、前記第１の兄弟ノードについての前記パーティション化方向及び前記第２の兄弟ノードについての前記パーティション化方向の双方が前記親パーティション化方向に直交するという条件で、前記第２の兄弟ノードについての前記パーティション化タイプがＢＴになるように導出される、請求項１に記載のビデオ処理デバイス。
【請求項７】
前記親パーティション化タイプがバイナリーツリー（ＢＴ）であり、前記第１のパーティション化パラメータが前記第１の兄弟ノードについてのパーティション化タイプを示し、前記第２のパーティション化パラメータが前記第１の兄弟ノードについてのパーティション化方向を示し、前記第３のパーティション化パラメータが前記第２の兄弟ノードについてのパーティション化タイプを示し、及び、前記第４のパーティション化パラメータが前記第２の兄弟ノードについてのパーティション化方向を示し、前記第１の兄弟ノードについての前記パーティション化タイプ及び第２の兄弟ノードについての前記パーティション化タイプが異なるか、又は、前記第１の兄弟ノードについての前記パーティション化タイプ及び前記第２の兄弟ノードについての前記パーティション化タイプの双方がＢＴであり、前記第１の兄弟ノードについての前記パーティション化方向及び前記親パーティション化方向が同じでないか、又は、前記第１の兄弟ノードについての前記パーティション化タイプ及び前記第２の兄弟ノードについての前記パーティション化タイプの双方がＴＴであり、前記第１の兄弟ノードについての前記パーティション化方向が前記親パーティション化方向に対して直交でないかの条件で、前記第２の兄弟ノードの前記パーティション化方向が受信される、請求項１に記載のビデオ処理デバイス。
【請求項８】
前記親パーティション化タイプがバイナリーツリー（ＢＴ）であり、前記第１のパーティション化パラメータが前記第１の兄弟ノードについてのパーティション化タイプを示し、前記第２のパーティション化パラメータが前記第１の兄弟ノードのパーティション化方向を示し、前記第３のパーティション化パラメータが前記第２の兄弟ノードについてのパーティション化を示し、及び、前記第４のパーティション化パラメータは前記第２の兄弟ノードについてのパーティション化方向を示し、前記第１の兄弟ノードについての前記パーティション化タイプ及び前記第２の兄弟ノードについての前記パーティション化タイプの双方がＢＴであり、前記第１の兄弟ノードについての前記パーティション化方向及び前記親パーティション化方向が同じであるという条件で、前記第２の兄弟ノードについての前記パーティション化方向が前記第１の兄弟ノードについての前記パーティション化方向と直交するように導出され、前記第１の兄弟ノードについての前記パーティション化タイプ及び前記第２の兄弟ノードについての前記パーティション化タイプの双方がＴＴであり、前記第１の兄弟ノードについての前記パーティション化方向が前記親パーティション化方向に直交するという条件で、前記第２の兄弟ノードについての前記パーティション化方向は前記第１の兄弟ノードについての前記パーティション化方向に直交するように導出される、請求項１に記載のビデオ処理デバイス。
【請求項９】
前記第２の兄弟ノードの前記第４のパーティション化パラメータの前記インジケーションが受信されないと決定されることを前記条件に、前記プロセッサは、
ビットストリームにおいて前記第４のパーティション化パラメータの前記インジケーションを受信し、
前記インジケーションに基づいて前記第４のパーティション化パラメータを決定する
ようにさらに構成される、請求項１に記載のビデオ処理デバイス。
【請求項１０】
ビデオコンテンツを処理する方法であって、
第１の兄弟ノード及び第２の兄弟ノードを含む複数の兄弟ノードにパーティション化されるブロックを特定することであって、前記第１の兄弟ノードは第１のパーティション化パラメータ及び第２のパーティション化パラメータと関連付けられており、前記第２の兄弟ノードは第３のパーティション化パラメータ及び第４のパーティション化パラメータと関連付けられており、ことと、
前記複数の兄弟ノートの前記第２の兄弟ノードについての前記第３のパーティション化パラメータ、並びに、前記ブロックについての親パーティション化タイプ及び親パーティション化方向を決定することと、
前記複数の兄弟ノードの前記第２の兄弟ノードについての前記第３のパーティション化パラメータ、並びに、前記ブロックについての前記親パーティション化タイプ及び前記親パーティション化方向に基づいて、前記第２の兄弟ノードの前記第４のパーティション化パラメータのインジケーションを受信するかどうかを決定すること、
前記第２の兄弟ノードの前記第４のパーティション化パラメータの前記インジケーションを受信するかどうかの前記決定に基づいて、前記第４のパーティション化パラメータを取得することであり、前記第４のパーティション化パラメータが受信されると決定されないことを条件に、前記第４のパーティション化パラメータが前記第３のパーティション化パラメータ及び前記親パーティション化方向に基づいて取得される、ことと、
前記第３のパーティション化パラメータ及び前記第４のパーティション化パラメータに基づいて、前記ブロックを含むピクチャを再構築することと、
前記ピクチャに対してマルチタイプツリー（ＭＴＴ）が使用されると決定することであり、前記ピクチャはトリプルツリー（ＴＴ）ブロックを含む、ことと、
前記ＴＴブロックの境界に非ブロック化フィルタリングを適用することと
を含む方法。
【請求項１１】
前記親パーティション化タイプがＴＴであり、前記第２の兄弟ノードが中央の兄弟ノードであり、前記第３のパーティション化パラメータが前記中央の兄弟ノードについてのパーティション化タイプを示し、及び、前記第４のパーティション化パラメータが前記中央の兄弟ノードについてのパーティション化方向を示し、前記中央の兄弟ノードについてのパーティション化タイプがバイナリツリー（ＢＴ）であるという条件で、前記中央の兄弟ノードについての前記パーティション化方向は前記親パーティション化方向と直交するように決定される、請求項１０に記載の方法。
【請求項１２】
前記親パーティション化タイプがＴＴであり、前記第２の兄弟ノードが中央の兄弟ノードであり、前記第３のパーティション化パラメータが前記中央の兄弟ノードについてのパーティション化タイプを示し、前記第４のパーティション化パラメータが前記中央の兄弟ノードについてのパーティション化方向を示し、前記中央の兄弟ノードについてのパーティション化タイプがＴＴであるという条件で、前記中央の兄弟ノードについての前記パーティション化方向が受信される、請求項１０に記載の方法。
【請求項１３】
前記親パーティション化タイプがバイナリーツリー（ＢＴ）であり、前記第１のパーティション化パラメータが前記第１の兄弟ノードについてのパーティション化タイプを示し、前記第２のパーティション化パラメータが前記第１の兄弟ノードについてのパーティション化方向を示し、前記第３のパーティション化パラメータが前記第２の兄弟ノードについてのパーティション化タイプを示し、及び、前記第４のパーティション化パラメータが前記第２の兄弟ノードについてのパーティション化方向を示し、前記第１の兄弟ノードについての前記パーティション化タイプ及び第２の兄弟ノードについての前記パーティション化タイプが異なるか、又は、前記第１の兄弟ノードについての前記パーティション化タイプ及び前記第２の兄弟ノードについての前記パーティション化タイプの双方がＢＴであり、前記第１の兄弟ノードについての前記パーティション化方向及び前記親パーティション化方向が同じでないか、又は、前記第１の兄弟ノードについての前記パーティション化タイプ及び前記第２の兄弟ノードについての前記パーティション化タイプの双方がＴＴであり、前記第１の兄弟ノードについての前記パーティション化方向が前記親パーティション化方向に対して直交でないかの条件で、前記第２の兄弟ノードの前記パーティション化方向が受信される、請求項１０に記載の方法。
【請求項１４】
ビデオコンテンツを処理する方法であって、
第１の兄弟ノード及び第２の兄弟ノードを含む複数の兄弟ノードにパーティション化されるブロックを特定することであって、前記第１の兄弟ノードは第１のパーティション化パラメータ及び第２のパーティション化パラメータに関連付けられており、前記第２の兄弟ノードは第３のパーティション化パラメータ及び第４のパーティション化パラメータに関連付けられている、ことと、
前記複数の兄弟ノードの前記第２の兄弟ノードについての前記第３のパーティション化パラメータ、並びに、前記ブロックについての親パーティション化タイプ及び親パーティション化方向を決定することと、
前記複数の兄弟ノードの前記第２の兄弟ノードについての前記第３のパーティション化パラメータ、並びに、前記ブロックについての前記親パーティション化タイプ及び前記親パーティション化方向に基づいて、ビットストリームに前記第２の兄弟ノードの前記第４のパーティション化パラメータのインジケーションを含めるかどうかを決定することと、
前記第３のパーティション化パラメータ及び前記第４のパーティション化パラメータに基づいて、前記ブロックを含むピクチャを再構築することと、
前記ピクチャに対してマルチタイプツリー（ＭＴＴ）が使用されると決定することであり、前記ピクチャはトリプルツリー（ＴＴ）ブロックを含む、ことと、
前記ＴＴブロックの境界に非ブロック化フィルタリングを適用することによって、前記ピクチャをエンコードすることと、
エンコードされた前記ピクチャに基づいて残差を生成することと、
前記ビットストリームに前記第１のパーティション化パラメータ、前記第２のパーティション化パラメータ、前記第３のパーティション化パラメータ、及び前記親パーティション化方向、並びに前記残差のインジケーションを含めることと
を含む、方法。
【請求項１５】
前記親パーティション化タイプがＢＴであり、前記第１のパーティション化パラメータが前記第１の兄弟ノードについてのパーティション化方向を示し、前記第２のパーティション化パラメータが前記第１の兄弟ノードについてのパーティション化タイプを示し、前記第３のパーティション化パラメータが前記第２の兄弟ノードについてのパーティション化方向を示し、及び、前記第４のパーティション化パラメータが前記第２の兄弟ノードについてのパーティション化タイプを示し、前記第１の兄弟ノードについての前記パーティション化タイプがＢＴであり、前記第１の兄弟ノードについての前記パーティション化方向及び前記第２の兄弟ノードについての前記パーティション化方向が同じであるか、前記第１の兄弟ノードについての前記パーティション化タイプがＴＴであり、前記第１の兄弟ノードについての前記パーティション化方向及び前記第２の兄弟ノードについての前記パーティション化方向の双方が前記親パーティション化方向に直交するかの条件で、前記第２の兄弟ノードについての前記パーティション化タイプが前記ビットストリームに含められない、請求項１４に記載の方法。
【請求項１６】
ビデオ処理デバイスであって、
第１の兄弟ノード及び第２の兄弟ノードを含む複数の兄弟ノードにパーティション化されるブロックを特定し、前記第１の兄弟ノードは第１のパーティション化パラメータ及び第２のパーティション化パラメータに関連付けられており、前記第２の兄弟ノードは第３のパーティション化パラメータ及び第４のパーティション化パラメータに関連付けられており、
前記複数の兄弟ノードの前記第２の兄弟ノードについての前記第３のパーティション化パラメータ、並びに、前記ブロックについての親パーティション化タイプ及び親パーティション化方向を決定し、
前記複数の兄弟ノードの前記第２の兄弟ノードについての前記第３のパーティション化パラメータ、並びに、前記ブロックについての前記親パーティション化タイプ及び前記親パーティション化方向に基づいて、ビットストリームに前記第２の兄弟ノードの前記第４のパーティション化パラメータのインジケーションを含めるかどうかを決定し、
前記第３のパーティション化パラメータ及び前記第４のパーティション化パラメータに基づいて、前記ブロックを含むピクチャを再構築し、
前記ピクチャに対してマルチタイプツリー（ＭＴＴ）が使用されると決定し、前記ピクチャはトリプルツリー（ＴＴ）ブロックを含み、
前記ＴＴブロックの境界に非ブロック化フィルタリングを適用することによって、前記ピクチャをエンコードし、
エンコードされた前記ピクチャに基づいて残差を生成し、
前記ビットストリームに前記第１のパーティション化パラメータ、前記第２のパーティション化パラメータ、前記第３のパーティション化パラメータ、及び前記親パーティション化方向、並びに前記残差のインジケーションを含める
ように構成されたプロセッサを備えた、ビデオ処理デバイス。
【請求項１７】
前記親パーティション化タイプがバイナリーツリー（ＢＴ）であり、前記第１のパーティション化パラメータが前記第１の兄弟ノードについてのパーティション化方向を示し、前記第２のパーティション化パラメータが前記第１の兄弟ノードについてのパーティション化タイプを示し、前記第３のパーティション化パラメータが前記第２の兄弟ノードについてのパーティション化方向を示し、及び、前記第４のパーティション化パラメータが前記第２の兄弟ノードについてのパーティション化タイプを示し、前記第１の兄弟ノードについての前記パーティション化タイプがＢＴであり、前記第１の兄弟ノードについての前記パーティション化方向及び前記第２の兄弟ノードについての前記パーティション化方向が同じであるか、前記第１の兄弟ノードについての前記パーティション化タイプがＴＴであり、前記第１の兄弟ノードについての前記パーティション化方向及び前記第２の兄弟ノードについての前記パーティション化方向の双方が前記親パーティション化方向に直交するかの条件で、前記第２の兄弟ノードについての前記パーティション化タイプが前記ビットストリームに含められない、請求項１６に記載のビデオ処理デバイス。
【請求項１８】
第１の兄弟ノード及び第２の兄弟ノードを含む複数の兄弟ノードにパーティション化されるブロックを特定することであって、前記第１の兄弟ノードは第１のパーティション化パラメータ及び第２のパーティション化パラメータと関連付けられており、前記第２の兄弟ノードは第３のパーティション化パラメータ及び第４のパーティション化パラメータと関連付けられており、ことと、
前記複数の兄弟ノートの前記第２の兄弟ノードについての前記第３のパーティション化パラメータ、並びに、前記ブロックについての親パーティション化タイプ及び親パーティション化方向を決定することと、
前記複数の兄弟ノードの前記第２の兄弟ノードについての前記第３のパーティション化パラメータ、並びに、前記ブロックについての前記親パーティション化タイプ及び前記親パーティション化方向に基づいて、前記第２の兄弟ノードの前記第４のパーティション化パラメータのインジケーションを受信するかどうかを決定すること、
前記第２の兄弟ノードの前記第４のパーティション化パラメータの前記インジケーションを受信するかどうかの前記決定に基づいて、前記第４のパーティション化パラメータを取得することであり、前記第４のパーティション化パラメータが受信されると決定されないことを条件に、前記第４のパーティション化パラメータが前記第３のパーティション化パラメータ及び前記親パーティション化方向に基づいて取得される、ことと、
前記第３のパーティション化パラメータ及び前記第４のパーティション化パラメータに基づいて、前記ブロックを含むピクチャを再構築することと、
前記ピクチャに対してマルチタイプツリー（ＭＴＴ）が使用されると決定することであり、前記ピクチャはトリプルツリー（ＴＴ）ブロックを含む、ことと、
前記ＴＴブロックの境界に非ブロック化フィルタリングを適用することと
を１つまたは複数のプロセッサに実行させる命令を含むコンピュータ可読媒体。
【請求項１９】
第１の兄弟ノード及び第２の兄弟ノードを含む複数の兄弟ノードにパーティション化されるブロックを特定することであって、前記第１の兄弟ノードは第１のパーティション化パラメータ及び第２のパーティション化パラメータに関連付けられており、前記第２の兄弟ノードは第３のパーティション化パラメータ及び第４のパーティション化パラメータに関連付けられている、ことと、
前記複数の兄弟ノードの前記第２の兄弟ノードについての前記第３のパーティション化パラメータ、並びに、前記ブロックについての親パーティション化タイプ及び親パーティション化方向を決定することと、
前記複数の兄弟ノードの前記第２の兄弟ノードについての前記第３のパーティション化パラメータ、並びに、前記ブロックについての前記親パーティション化タイプ及び前記親パーティション化方向に基づいて、ビットストリームに前記第２の兄弟ノードの第４のパーティション化パラメータのインジケーションを含めるかどうかを決定することと、
前記第３のパーティション化パラメータ及び前記第４のパーティション化パラメータに基づいて、前記ブロックを含むピクチャを再構築することと、
前記ピクチャに対してマルチタイプツリー（ＭＴＴ）が使用されると決定することであって、前記ピクチャはトリプルツリー（ＴＴ）ブロックを含む、ことと、
前記ＴＴブロックの境界に非ブロック化フィルタリングを適用することによって、前記ピクチャをエンコードすることと、
エンコードされた前記ピクチャに基づいて残差を生成することと、
前記ビットストリームに前記第１のパーティション化パラメータ、前記第２のパーティション化パラメータ、前記第３のパーティション化パラメータ、及び前記親パーティション化方向、並びに前記残差のインジケーションを含めることと
を１つまたは複数のプロセッサに実行させる命令を含むコンピュータ可読媒体。